(57)【要約】【課題】従来の光ピックアップ装置では、レーザー装置がハウジング内にて回折格子と離間して配置されるため、両者の離間距離の変動により、レーザー光の高精度な微調整が難しいという問題があった。【解決手段】本発明の光ピックアップ装置では、第１の回折格子４が第１のレーザー装置２に組み込まれ、両者が一体に動きながら、ハウジング内にて微調整される。そして、第１のレーザー装置２は、その上面側をレーザー装置保持具４０により保持され、その下面側を位置調整治具により支持される。そのことで、第１のレーザー装置２は、安定して保持された状態により微調整され、レーザー光の高精度な微調整が実現される。【選択図】図３
2014049159.tif 000002
【特許請求の範囲】
【請求項１】
第１レーザー光を出射する第１レーザー素子を内蔵する第１レーザー装置と、少なくとも前記第１レーザー光と波長が異なる第２レーザー光を出射する第２レーザー素子を内蔵する第２レーザー装置と、前記第１レーザー光を回折する第１回折格子と、前記第２レーザー光を回折する第２回折格子と、共通光路上へと導かれた前記第１レーザー光及び前記第２レーザー光を受光する共通の光検出装置とを準備し、
第２レーザー光の光学調整を行いながら前記第２レーザー装置、前記第２回折格子及び前記光検出装置をハウジングに固定した後、レーザー装置保持具により前記第１レーザー装置の上面を吸引固定した状態にて、前記第１レーザー装置を前記ハウジングの所望の領域に配置し、前記第１のレーザー光の光学調整を行いながら前記第１回折格子が仮固定された前記第１レーザー装置を前記ハウジングに固定し、
前記第１回折格子のみを回転させながら前記第１レーザー光の光学調整を行った後、前記第１回折格子を前記第１レーザー装置に固定することを特徴とする光ピックアップ装置の調整方法。
【請求項２】
前記第１レーザー装置の上面には、エジェクトピンにより形成された第１凹部が形成され、前記レーザー装置保持具の吸引面積は、前記第１凹部の面積よりも広く、前記レーザー装置保持具は、前記第１凹部を含むように前記第１凹部周囲の前記第１レーザー装置の上面を吸引することを特徴とする請求項１に記載の光ピックアップ装置の調整方法。
【請求項３】
前記第１レーザー装置の上面には、前記第１凹部を挟むように一対の第２凹部及び第３凹部が形成され、前記第２凹部の断面は円形状であり、前記第３凹部の断面は楕円形状であり、
前記レーザー装置保持具の吸引領域を挟むように設けられた一対の突起部は、前記第２及び第３凹部内に挿入されることを特徴とする請求項２に記載の光ピックアップ装置の調整方法。
【請求項４】
前記第１回折格子は回動部材に固定され、前記回動部材が弾性部材により前記第１レーザー装置に仮固定され、
前記第１レーザー装置及び前記第１回折格子は、一体に前記光軸方向に移動調整されることを特徴とする請求項２または請求項３に記載の光ピックアップ装置の調整方法。
【請求項５】
前記回動部材は、前記第１回折格子と一体に前記光軸方向に対して垂直方向に回転することを特徴とする請求項４に記載の光ピックアップ装置の調整方法。
【発明の詳細な説明】
【技術分野】
【０００１】
本発明は、複数種類の波長の光を用いて記録及び／または再生を行う光ピックアップ装置の調整方法に関する。
【背景技術】
【０００２】
図７に示す如く、従来の光ピックアップ装置６１は、例えば、ＢＤ（Ｂｌｕ−ｒａｙ  Ｄｉｓｃ）、ＤＶＤ（Ｄｉｇｉｔａｌ  Ｖｅｒｓａｔｉｌｅ  Ｄｉｓｋ）またはＣＤ（Ｃｏｍｐａｃｔ  Ｄｉｓｋ）規格のレーザー光を、光ディスク（光情報記録媒体）の情報記録層に集光させ、この情報記録層からの反射光を受光して電気信号に変換する機能を備えている。
【０００３】
具体的には、光ピックアップ装置６１は、ＢＤ規格のレーザー光を出射する第１のレーザー装置６２と、ＣＤまたはＤＶＤ規格のレーザー光を出射する第２のレーザー装置６３とを有する。第１のレーザー装置６２から出射されたレーザー光は、第１の回折格子６４を通過し、第１のハーフミラー６５にて反射した後、共通の光路６６を進行する。また、第２のレーザー装置６３から出射されたレーザー光は、第２の回折格子６７及び第２のハーフミラー６８を通過し、共通の光路６６を進行する。そして、それぞれのレーザー光は、光ディスク（図示せず）にて反射した後、再び、共通の光路６６を進行し、共通の光検出器６９にて受光される。
【０００４】
光ピックアップ装置６１では、それぞれのレーザー光に対して光路６６が共通化され、光検出器６９等の光学素子が共通化されることで、光学素子の点数が低減され、その小型化が実現される（例えば、特許文献１参照。）。
【先行技術文献】
【特許文献】
【０００５】
【特許文献１】特開２０１２−７４１２６号公報（第８−９頁、第１図）
【発明の概要】
【発明が解決しようとする課題】
【０００６】
前述したように、従来の光ピックアップ装置６１では、例えば、第１のレーザー装置６２から出射されるＢＤ規格のレーザー光の光軸調整や光ディスクへのスポット位置調整等を行い、光検出器６９の位置を固定する。その後、第２のレーザー装置６３から出射されるＣＤ規格またはＤＶＤ規格のレーザー光の光軸調整や光ディスクへのスポット位置調整等を行う。
【０００７】
このとき、第２のレーザー装置６３では、既に、ハウジング内にて位置固定された光検出器６９を用いて、上記光軸調整等が行われる。そして、第２のレーザー装置６３は、ハウジング内にてＸＹＺ軸方向へ微調整されるため、ハウジングの基準面に対して接着固定されない。そのため、第２のレーザー装置６３の位置が移動することで、第２の回折格子６７と第２のレーザー装置６３との離間距離は変動し易くなる。そして、その離間距離の変動により、受光素子上や光ディスク上でのサイドスポットの位置調整が難しいという問題がある。
【０００８】
特に、第２のレーザー装置６３では、ＣＤ規格のレーザーダイオードとＤＶＤ規格のレーザーダイオードを内蔵し、それぞれのレーザー光を出射する発光点が異なるため、上記離間距離の変動により、上記受光素子上や光ディスク上へのスポット位置調整を行うことは難しいという問題がある。
【０００９】
また、第２のレーザー装置６３は、ハウジング内にてＸＹＺ軸方向に微調整されるため、第２のレーザー装置６３は、レーザー装置保持具等により安定して支持された状態にて移動しなければ、高精度な調整が難しいという問題がある。
【課題を解決するための手段】
【００１０】
前述した各事情に鑑みて成されたものであり、本発明の光ピックアップ装置の調整方法では、第１レーザー光を出射する第１レーザー素子を内蔵する第１レーザー装置と、少なくとも前記第１レーザー光と波長が異なる第２レーザー光を出射する第２レーザー素子を内蔵する第２レーザー装置と、前記第１レーザー光を回折する第１回折格子と、前記第２レーザー光を回折する第２回折格子と、共通光路上へと導かれた前記第１レーザー光及び前記第２レーザー光を受光する共通の光検出装置とを準備し、第２レーザー光の光学調整を行いながら前記第２レーザー装置、前記第２回折格子及び前記光検出装置をハウジングに固定した後、レーザー装置保持具により前記第１レーザー装置の上面を吸引固定した状態にて、前記第１レーザー装置を前記ハウジングの所望の領域に配置し、前記第１のレーザー光の光学調整を行いながら前記第１回折格子が仮固定された前記第１レーザー装置を前記ハウジングに固定し、前記第１回折格子のみを回転させながら前記第１レーザー光の光学調整を行った後、前記第１回折格子を前記第１レーザー装置に固定することを特徴とする。
【発明の効果】
【００１１】
本発明では、レーザー装置保持具により、レーザー装置の上面に形成された凹部よりも広い領域を吸引した状態にて、レーザー装置の位置を微調整することで、レーザー光の高精度な微調整が可能となる。
【００１２】
また、本発明では、エジェクトピンにより形成される凹部が、レーザー装置保持具の吸引領域内に配置されることで、凹部内にバリが発生した場合でも、その吸引状態が悪化することが防止される。
【００１３】
また、本発明では、レーザー装置保持具及び位置調整治具により、レーザー装置の上下面を保持することで、レーザー装置を安定して移動させることができる。
【００１４】
また、本発明では、回折格子が組み込まれたレーザー装置を用い、回折格子とＬＤの発光点との離間距離を固定することで、レーザー光の高精度な微調整が可能となる。
【００１５】
また、本発明では、回折格子が組み込まれたレーザー装置を用い、レーザー装置がハウジングに固定後も、回折格子の回転調整が可能となり、レーザー光の高精度な微調整が可能となる。
【図面の簡単な説明】
【００１６】
【図１】本発明の実施の形態における光ピックアップ装置の光学系を説明する概略図である。
【図２】本発明の実施の形態における光ピックアップ装置を説明する（Ａ）斜視図、（Ｂ）斜視図である。
【図３】本発明の実施の形態における光ピックアップ装置に用いるレーザー装置を説明する（Ａ）斜視図、（Ｂ）断面図である。
【図４】本発明の実施の形態における光ピックアップ装置に用いるレーザー装置を説明する斜視図である。
【図５】本発明の実施の形態における光ピックアップ装置の調整方法を説明する（Ａ）斜視図、（Ｂ）斜視図である。
【図６】本発明の実施の形態における光ピックアップ装置の調整方法を説明する図である。
【図７】従来の実施の形態における光ピックアップ装置の光学系を説明する概略図である。
【発明を実施するための形態】
【００１７】
＜第１の実施の形態＞
図１から図４を参照して、本実施の形態である光ピックアップ装置について説明する。
【００１８】
図１は、光ピックアップ装置の光学系を説明する概略図である。図２（Ａ）及び（Ｂ）は、光ピックアップ装置のハウジングに対してレーザー装置の配置箇所を説明する斜視図である。図３（Ａ）は、光ピックアップ装置に用いるレーザー装置を説明する斜視図であり、図３（Ｂ）は、図３（Ａ）に示すレーザー装置のＡ−Ａ線方向の断面図である。図４は、図３に示すレーザー装置に組み込まれる部材を説明する斜視図である。
【００１９】
尚、以下の説明では、例えば、紙面Ｘ軸方向はハウジングの幅方向（レーザー装置の横幅方向）とし、紙面Ｙ軸方向はハウジングの高さ方向（レーザー装置の縦幅方向）とし、紙面Ｚ軸方向はハウジングの奥行き幅方向（レーザー装置の奥行き幅方向）とする。そして、紙面Ｚ軸方向は、光ピックアップ装置の光軸方向と一致する。
【００２０】
図１に示す如く、光ピックアップ装置１は、ＢＤ（Ｂｌｕ−ｒａｙ  Ｄｉｓｃ）、ＤＶＤ（Ｄｉｇｉｔａｌ  Ｖｅｒｓａｔｉｌｅ  Ｄｉｓｋ）またはＣＤ（Ｃｏｍｐａｃｔ  Ｄｉｓｋ）規格のレーザー光を、光ディスク（光情報記録媒体）の情報記録層に集光させ、この情報記録層からの反射光を受光して電気信号に変換する機能を備えている。
【００２１】
光ピックアップ装置１は、ハウジングに内蔵された各種光学素子を備えている。光学素子としては、第１及び第２のレーザー装置２、３、第１及び第２の回折格子４、５、光路合成プリズム６、ハーフミラー７、１／４波長板８、コリメータレンズ９、第１及び第２の立ち上げミラー１０、１１、第１及び第２の対物レンズ１２、１３、アナモレンズ１４及び光検出器１５が図示されている。
【００２２】
第１のレーザー装置２は、ＤＶＤ規格の波長（赤色波長帯６４５ｎｍ〜６７５ｎｍ（例えば、６５５ｎｍ））のレーザー光及びＣＤ規格の波長（赤外波長帯７６５ｎｍ〜８０５ｎｍ（例えば、７８５ｎｍ））のレーザー光を出射する。詳細は後述するが、第１のレーザー装置２には、回動部材（図示せず）を介して第１の回折格子４が組み込まれる。
【００２３】
そして、第１のレーザー装置２から出射されたレーザー光は、第１の回折格子４にて０次光、＋１次回折光、−１次回折光に分離し、光路合成プリズム６を通過する。
【００２４】
第２のレーザー装置３は、ＢＤ規格の波長（青紫色（青色）波長帯４００ｎｍ〜４２０ｎｍ（例えば４０５ｎｍ））のレーザー光を出射する。尚、第２のレーザー装置３は、ＣＡＮタイプ型のパッケージの場合でも良く、リードフレーム型のパッケージの場合でも良い。
【００２５】
そして、第２のレーザー装置３から出射されたレーザー光は、第２の回折格子５にて０次光、＋１次回折光、−１次回折光に分離し、光路合成プリズム６の偏光面にて反射する。
【００２６】
図示したように、第１及び第２のレーザー装置２、３から出射されたレーザー光は、光路合成プリズム６を通過した後は共通の光路１６上を進む。具体的には、それぞれのレーザー光は、ハーフミラー７にて反射した後、１／４波長板８及びコリメータレンズ９を通過する。そして、ＤＶＤ規格及びＣＤ規格のレーザー光は、第１の立ち上げミラー１０にて反射し、第１の対物レンズ１２にて光ディスク１７の情報記録層に集光される。一方、ＢＤ規格のレーザー光は、第１の立ち上げミラー１０を通過し、第２の立ち上げミラー１１にて反射し、第２の対物レンズ１３にて光ディスク１７の情報記録層に集光される。
【００２７】
次に、光ディスク１７から反射したＤＶＤ規格及びＣＤ規格のレーザー光は、第１の対物レンズ１２を通過し、第１の立ち上げミラー１０にて反射する。一方、光ディスク１７から反射したＢＤ規格のレーザー光は、第２の対物レンズ１３を通過し、第２の立ち上げミラー１１にて反射し、第１の立ち上げミラー１０を通過する。その後、それぞれのレーザー光は、コリメータレンズ９、１／４波長板８、ハーフミラー７及びアナモレンズ１４を通過した後、光検出器（ＰＤＩＣ）１５へと入射する。そして、光検出器１５にて検出された光信号に基づいて、フォーカス制御、トラッキング制御及びラジアルチルト制御が行われる。
【００２８】
上述したように、光ピックアップ装置１では、それぞれのレーザー光に対して光路１６が共通化され、共通の光学素子６〜９、１４、１５が用いられることで、光学素子の点数が低減され、その小型化が実現される。
【００２９】
図２（Ａ）は、光ピックアップ装置１の上面側からの斜視図を示し、例えば、樹脂製のハウジング１８の上面側は金属製のカバー１９により覆われる。図示していないが、ハウジング１８内は各種光学素子が配置されるための側壁等により区画される。そして、第１のレーザー装置２は、ハウジング１８内の区画された領域２０に配置される。また、第２のレーザー装置３は、ハウジング１８の側面に沿って設けられた凹部２１内に配置される。尚、実際には、第１のレーザー装置１の上面は、カバー１９により覆われる。
【００３０】
先ず、ＢＤ規格のレーザー光を出射する第２のレーザー装置３が、ハウジング１８へと接着固定される。このとき、ハウジング１８の凹部２１内の側面は、紙面ＸＹＺ軸方向の基準面の平行面として形成され、第２のレーザー装置３は、それらの側面に対して押圧して接着固定される。その後、ハウジング１８内に配置された第２の回折格子５が回転調整される等により、ＢＤ規格のレーザー光の光軸方向の調整、光軸方位角θの調整や光ディスク上へのサイドスポット位置調整が行われる。
【００３１】
次に、ＤＶＤ規格及びＣＤ規格のレーザー光を出射する第１のレーザー装置２が、ハウジング１８の所望の領域２０に配置される。詳細は後述するが、第１のレーザー装置２は、その上面側がレーザー装置保持具（図示せず）にて保持された状態にて、領域２０に配置される。図２（Ｂ）に示すように、ハウジング１８の下面側には、領域２０に対応した位置に調整孔２２が配置される。第１のレーザー装置２は、調整孔２２からハウジング１８内へと挿入された位置調整治具（図示せず）により、その下面側が支持され、その位置が微調整され、ＤＶＤ規格及びＣＤ規格のレーザー光の光軸方向の調整、光軸方位角θの調整が行われる。その後、第１のレーザー装置２に組み込まれた第１の回折格子４が、光軸方向に対して垂直方向にて回転調整されることで、光ディスク上でのサイドスポット位置の調整が行われる。
【００３２】
図３（Ａ）に示す如く、第１のレーザー装置２には、その筐体３１内にレーザーダイオード（以下、ＬＤと呼ぶ。）が内蔵され、ＬＤはステム（図示せず）上に固着される。筐体３１の側面３２は、紙面ＸＹ方向の基準面の平行面として形成され、光軸方向（Ｚ軸方向）と垂直面となる。そして、回動部材３３は、板バネ３４により側面３２と当接するように押圧して固定される。この構造により、回動部材３３は、上記板バネ３４による仮固定状態では、光軸方向（紙面Ｚ軸方向）への動きが規制され、側面３２に沿って（紙面ＸＹ方向の基準面に沿って）回転動作のみ可能となる。尚、回動部材３３は、回転調整後（光ディスク上へのスポット位置調整後）には、筐体３１に接着固定される。
【００３３】
第１の回折格子４が、回動部材３３に接着固定され、回動部材３３と一体に回転する。上述したように、回動部材３３が第１のレーザー装置２に対して光軸方向の動きが規制され、光軸方向におけるＬＤの発光点と第１の回折格子４との離間距離が一定距離に固定される。
【００３４】
筐体３１の上面３５には、一対の凹部３６、３７が配置される。凹部３６の断面は、円形状である。凹部３７の断面は、紙面Ｚ軸方向に上記円の直径幅を有し紙面Ｘ軸方向に延在する長方形形状であり、その長方形形状の紙面Ｘ軸方向の両側に上記円形状の半円形状が組み合わさった形状である。そして、凹部３６、３７は、第１のレーザー装置２をハウジングへ設置する際に、レーザー装置保持具の突起部（図示せず）が挿入される領域となる。尚、筐体３１の上面３５は、紙面ＺＸ方向の基準面の平行面として形成される。
【００３５】
また、丸印Ｓにて示すように、筐体３１の側面には、ハウジングとの接着用凹部が複数個所設けられる。接着用凹部内には、更に凹凸形状が設けられることで、接着領域としての表面積が増大され、接着強度が向上される。
【００３６】
図３（Ｂ）は、図３（Ａ）のＡ−Ａ線方向の断面図であり、筐体３１の上面３５側を示すが、筐体３１の上面３５の凹部３６、３７間には、凹部３６、３７よりも浅い凹部３８が配置される。そして、凹部３８は、金型から筐体３１を離型する際にエジェクトピン（図示せず）により押圧され、形成される窪み領域である。丸印３９にて示す領域は、離型時にエジェクトピンにより押圧される端部であり、バリが最も発生し易い領域である。その領域が、凹部３８の周端部よりも内側であり、筐体３１の上面３５よりも低い位置に配置される。
【００３７】
点線にて示すレーザー装置保持具４０の保持面には、一対の突起部４１、４２と、その間に１箇所の吸引部が配置される。一対の突起部４１、４２は、凹部３６、３７へと嵌め込まれ、吸引部は、筐体３１の上面３５を吸着する。図示したように、凹部３７は上記形状となることで、突起部４２は、紙面Ｚ軸方向にて凹部３７内へと嵌め込まれ、突起部４１、４２間の離間距離の異なる複数のレーザー装置保持具に対しても対応できる。尚、凹部３６、３７の開口端部をテーパー形状とすることで、上記突起部４１、４２を凹部３６、３７内へと挿入する作業や凹部３６、３７から引抜く作業が容易となる。
【００３８】
図示したように、レーザー装置保持具４０の吸引部による吸引領域Ｗ１は、凹部３８よりも広い領域を有し、凹部３８はその吸引領域Ｗ１に含まれる。そして、図３（Ａ）に示すように、上面３５の砂状のハッチング領域が、レーザー装置保持具４０の吸引部による吸着領域Ｓ１である。この構造により、丸印３９にて示す領域にバリが発生した場合でも、バリは凹部３８内に収まり、バリが吸着領域Ｓ１までかかり難くなり、吸引力が低下することが防止される。
【００３９】
尚、丸印３９にて示す領域では、エジェクトピンが金型内を可動するためのクリアランスに対し、筐体成形時の金属材料が、若干、入り込むことで、上記バリが形成されてしまう。
【００４０】
図４に示す如く、第１のレーザー装置２の筐体３１は、例えば、亜鉛合金等の金属材料を射出成形して形成される。筐体３１は、ＬＤが内臓されるため中空構造となる。
【００４１】
図示したように、筐体３１の側面３２には、レーザー光が通過するための円筒状の開口部４３が形成され、その開口部４３の両側には一対の突起部４４、４５が形成される。突起部４４、４５は、例えば、円柱形状であり、紙面Ｚ軸方向へ突出する。そして、突起部４４は、回動部材３３の回動支点部材として用いられ、突起部４５は、回動部材３３の回動規制部材として用いられる。
【００４２】
回動部材３３は、例えば、筐体３１の金属材料よりも硬度の低い、ポリカーボネート（Ｐｏｌｙｃａｒｂｏｎａｔｅ）等の熱可塑性合成樹脂を射出成形して形成される。回動部材３３の表面４６及び裏面４７は、紙面ＸＹ方向の基準面の平行面として形成される。そして、回動部材３３の裏面４７が、筐体３１の側面３２と当接して配置されることで、回動部材３３の紙面ＸＹ方向の基準面が固定される。
【００４３】
回動部材３３の中央領域には、円筒状の開口部４８が形成され、開口部４８は、筐体３１に固定された際、筐体３１の開口部４３に対応した位置に配置され、レーザー光の通過する領域となる。
【００４４】
また、回動部材３３には、筐体３１の突起部４４に対応した位置に円筒状の開口部４９が形成される。開口部４９の開口形状は、突起部４４の断面形状と同程度の円形状であるが、その一端部がＤカット形状となる。
【００４５】
上述したように、筐体３１は金属材料から成り、回動部材３３は樹脂材料から成ることで、筐体３１の突起部４４が、回動部材３３の開口部４９へと嵌め込まれる際に、Ｄカット形状部分の回動部材３３が削られる。そして、突起部４４が開口部４９へと隙間なく嵌め込まれることで、回動部材３３が、突起部４４を回動支点として回転し、回転位置がずれることがなく、高精度な微調整が可能となる。
【００４６】
一方、回動部材３３には、筐体３１の突起部４５に対応した位置にＵ字形状の開口部５０が形成される。回動部材３３は、その開口部５０内に突起部４５が配置されるように、筐体３１の側面３２へと配置される。上述したように、回動部材３３は、筐体３１の側面３２にて回転するが、突起部４５により回動部材３３が必要以上に回転することが防止される。
【００４７】
次に、回動部材３３の表面４６には、開口部４８の紙面上下方向に突出領域５１、５２が形成され、その突出領域５１、５２間の凹部５３が、第１の回折格子４の配置領域となる。そして、突出領域５１、５２の面５４、５５は、紙面ＸＺ方向の基準面の平行面として形成され、第１の回折格子４が、その面５４、５５に当接して配置されることで、第１の回折格子４の紙面ＸＺ方向の基準面が固定される。
【００４８】
板バネ３４は、筐体３１の上面３５及び下面（図示せず）の窪んだ領域５６に嵌め込まれ、回動部材３３と当接する帯状部分が撓むことで、回動部材３３が筐体３１側へと押圧された状態にて、側面３２上に保持される。
【００４９】
尚、本実施の形態では、ＤＶＤ規格及びＣＤ規格のＬＤが内蔵された第１のレーザー装置に回転調整が可能な回折格子が組み込まれる場合について説明したが、この場合に限定されるものではない。例えば、ＢＤ規格のＬＤが内蔵された第２のレーザー装置に回転調整が可能な回折格子が組み込まれ、上記第１のレーザー装置には回折格子が組み込まれない構造の場合でも良い。この場合には、最初に、ハウジングに第１のレーザー装置を接着固定し、次に、上述したように、第２のレーザー装置を微調整しながらハウジングに配置することで、同様な効果が得られる。
【００５０】
また、回折格子が回動部材に固定され、回動部材がレーザー装置の側面に固定される場合について説明したが、この場合に限定するものではない。例えば、回折格子が、レーザー装置の側面に、直接、固定され、回折格子自体を回転調整する場合でも良い。その他、本発明の要旨を逸脱しない範囲で、種々の変更が可能である。
＜第２の実施の形態＞
図５から図６を参照して、本実施の形態である光ピックアップ装置の調整方法について説明する。図５（Ａ）及び（Ｂ）は、光ピックアップ装置に用いるレーザー装置の光学調整方法を説明するための斜視図である。図６は、図５に示すレーザー装置の光学調整時の特性を説明する図である。尚、本実施の形態の説明では、適宜、第１の実施の形態の説明を参照するものとする。
【００５１】
第１の実施の形態の図２にて上述したように、ハウジング１８にＢＤ規格のレーザー光を出射する第２のレーザー装置３が接着固定された後に、ＤＶＤ規格及びＣＤ規格のレーザー光を出射する第１のレーザー装置２が、ハウジング１８の領域２０内に配置される。そして、図５（Ａ）及び（Ｂ）に示すように、第１のレーザー装置２は、第２のレーザー装置３のレーザー光に対して位置固定された光検出器からの出力データをモニタリングしながら、ハウジング１８内にてＸＹＺ軸方向へ位置調整される。
【００５２】
具体的には、先ず、図５（Ａ）に示す如く、レーザー装置保持具４０を準備し、その突起部４１、４２（図３参照）を第１のレーザー装置２の上面３５側の凹部３６、３７（図３参照）内へ挿入し、凹部３８（図３参照）外周の上面３５を吸着する。このとき、レーザー装置保持具４０の突起部４１、４２が、凹部３６、３７内へと挿入されることで、第１のレーザー装置２は、レーザー装置保持具４０に対してＸＹＺ方向の基準面が固定される。
【００５３】
次に、第１のレーザー装置１をハウジング１８内の領域２０（図２（Ａ）参照）に配置した後、その上面３５側をレーザー装置保持具４０にて吸引固定し、その下面側を偏心ピン等の位置調整治具５７にて支えた状態にて、第１のレーザー装置２をＸＹＺ軸方向に、適宜、微調整する。この調整により、ＢＤ規格のレーザー光との共通光路への調整が行われながら、上記レーザー光の光軸方向の調整や光軸方位角θの調整が行われる。そして、上記調整後に、第１のレーザー装置２はハウジングに接着固定される。
【００５４】
次に、図５（Ｂ）に示す如く、第１のレーザー装置２がハウジング１８に対して接着固定された後、偏心ピン等の回折格子調整治具（図示せず）により、板バネ３４により仮固定状態の回動部材３３を回転させる。そして、矢印５８にて示すように、第１の回折格子４が、光軸方向に対して垂直方向にて回転調整されることで、光ディスク上でのサイドスポット位置の調整が行われる。
【００５５】
第１のレーザー装置２には、例えば、ＤＶＤ規格のＬＤとＣＤ規格のＬＤが内蔵され、それぞれのＬＤの発光点が異なり、最終的な光ディスクに対するスポット位置の調整を行うことで、レーザー光の高精度な微調整が可能となる。
【００５６】
このとき、回動部材３３は、板バネ３４により筐体３１の側面３２へと押圧して固定されることで、回動部材３３が回転する際に、回動部材３３と筐体３１との間に大きな摩擦力が働く。そして、この摩擦力が加わった状態にて、回折格子調整治具にて回動部材３３を回転させることで、回動部材３３が回転し過ぎることを防止し、ごく微量な回転調整が可能となる。
【００５７】
最後に、回動部材３３の位置が確定した後に、回動部材３３は、第１のレーザー装置２に対して接着固定される。
【００５８】
上述したように、光ピックアップ装置では、第１の回折格子４が組み込まれた第１のレーザー装置２を用いることで、２段階のレーザー光の調整を行うことが可能となり、レーザー光の高精度な微調整が可能となる。
【００５９】
図６は、ハウジング内に接着固定された受光素子に合わせてレーザー装置を光軸方向へ調整させ、その際の受光素子上でのサイドスポット間のピッチの変化量を説明する図である。Ｘ軸は、レーザー装置の光軸方向の調整量（μｍ）を示し、Ｙ軸は、受光素子上でのサイドスポット間のピッチ（μｍ）を示す。
【００６０】
先ず、実線は、図３に示すように回折格子が組み込まれたレーザー装置を用いた場合であり、回折格子はレーザー装置と一体に光軸方向に移動し、両者間の離間距離は常に一定となる。
【００６１】
図示したように、レーザー装置が、ハウジング内の所定の位置に配置された場合には、受光素子上での上記ピッチの設計値は１４０μｍとなる。そして、レーザー装置が、上記所定の位置から光軸方向に＋０．１μｍ移動した場合には、受光素子上でのピッチは１４１．１１μｍとなり、そのピッチは設計値よりも１．１１μｍ広がった。一方、レーザー装置が、上記所定の位置から光軸方向に−０．１μｍ移動した場合には、受光素子上でのピッチは１３８．９２μｍとなり、そのピッチは設計値よりも１．０８μｍ狭まった。
【００６２】
次に、点線は、回折格子がハウジングに対して固定され、回折格子が組み込まれないレーザー装置を用いた場合であり、レーザー装置のみ光軸方向に移動し、上記移動に応じて両者間の離間距離は変動する。
【００６３】
図示したように、レーザー装置が、ハウジング内の所定の位置に配置された場合には、受光素子上での上記ピッチの設計値は１４０μｍとなる。そして、レーザー装置が、上記所定の位置から光軸方向に＋０．１μｍ移動した場合には、受光素子上でのピッチは１４７．９０μｍとなり、そのピッチは設計値よりも７．９０μｍ広がった。一方、レーザー装置が、上記所定の位置から光軸方向に−０．１μｍ移動した場合には、受光素子上でのピッチは１３２．１２μｍとなり、そのピッチは設計値よりも７．８８μｍ狭まった。
【００６４】
上述したように、レーザー装置に回折格子が組み込まれ、両者が一体に移動することで、受光素子上でのピッチの変化量が大幅に低減される。そして、ピッチの変化量が低減することで、レーザー光の高精度な微調整が容易に実現され、特性劣化が防止される。
【符号の説明】
【００６５】
１  光ピックアップ装置
２  第１のレーザー装置
３  第２のレーザー装置
４  第１の回折格子
１５  光検出器
１８  ハウジング
２２  調整孔
３１  筐体
３３  回動部材
３４  板バネ
３６  凹部
３７  凹部
４０  レーザー装置保持具
４１  突起部
４２  突起部
４４  突起部
４５  突起部
４９  開口部
５０  開口部
５７  位置調整治具
【図１】
2014049159.tif 000003
【図２】
2014049159.tif 000004
【図３】
2014049159.tif 000005
【図４】
2014049159.tif 000006
【図５】
2014049159.tif 000007
【図６】
2014049159.tif 000008
【図７】
2014049159.tif 000009